(57)【要約】      （修正有）【課題】省電力でありながら広範囲に光を照射し、広範囲に撮影した映像を見やすくする方法を提供する。【解決手段】広角配光ＬＥＤモジュールと、ＬＥＤを配置する基板と、基板を内蔵したＬＥＤ街路灯と、ＬＥＤ街路灯に内蔵する魚眼レンズ使用の防犯カメラと、魚眼補正ＩＣからなる。処理ユニット５内の制御部６では、魚眼レンズ使用防犯カメラ７からの映像信号をデジタルデータ化し、魚眼補正ＩＣ１１に映像を記憶装置８に保存する。無線通信アンテナ９から受け取った無線通信端末からの映像表示要求は、通信モジュール１０を通じ制御部６で受け付ける。制御部６は映像表示要求に対し、指定された映像データを記憶装置８から取り出し、通信モジュールを通じて無線通信アンテナ９から無線通信端末に配信する。【選択図】図６
2015171040.tif 000002
【特許請求の範囲】
【請求項１】
広角配光ＬＥＤモジュールと、前記ＬＥＤを配置する基板と、前記基板を内蔵したＬＥＤ街路灯と、前記ＬＥＤ街路灯に内蔵する、魚眼レンズ使用の防犯カメラと、魚眼補正ＩＣからなる、防犯カメラ内蔵ＬＥＤ街路灯の死角削減
【請求項２】
魚眼レンズから取得した撮影映像を見やすい映像に変換する、魚眼補正ＩＣを内蔵し、変換した見やすい映像を保存、蓄積、配信する、請求項１に記載の防犯カメラ内蔵ＬＥＤ街路灯の死角削減
【発明の詳細な説明】
【技術分野】
【０００１】
本発明は、防犯カメラ内蔵ＬＥＤ街路灯の死角を削減する方式に関する。
【背景技術】
【０００２】
ＬＥＤ街路灯として、140度以上の横配光を持つ製品が知られている。
【０００３】
約180度の横方向視野角を持つ魚眼レンズ使用カメラが知られている。
【先行技術文献】
【非特許文献】
【０００４】
【非特許文献１】特願２０１４−０４２５０３
【発明の概要】
【発明が解決しようとする課題】
【０００５】
非特許文献２において、通常の防犯カメラの視野角では狭いため、十分な設置高が必要となるが、３〜５メートル程度の街路灯の高さでは、十分な視界を確保することができない。
【０００６】
非特許文献２において、十分な高さに防犯カメラを設置したとしても、街路灯の設置されるべき間隔は従来より決まっているので、限られた範囲しか撮影することができない。そのため、防犯カメラを可動型として広範囲を見渡せるようにするか、防犯カメラを複数方向に向けて取り付ける必要がある。しかしながら、その場合でも死角が存在するので、周囲全体を完全に撮影することができない。
【０００７】
従来のＬＥＤ街路灯は、ＬＥＤの性質上、照射角が水銀灯に比べて狭い。そのため、防犯カメラシステムと組み合わせた場合、水銀灯よりも多くの街路灯を設置する必要がある。
【０００８】
従来の防犯カメラシステムでは、カメラの死角を極力なくすために魚眼レンズを使用するが、魚眼レンズから取得する映像は、そのままでは歪みが大きく一般の人には大変見にくい。そのまま見ても何か問題が発生しているかどうかがわかりにくい。
【０００９】
本発明は上述のような問題を解決しようとするものであり、省電力でありながら広範囲に光を照射し、広範囲を撮影した映像を見やすく提供することを目的とする。
【課題を解決するための手段】
【００１０】
本発明は、前記目的を達成するため、次の手段を採る。
本発明は、広角配光ＬＥＤモジュールと、前記ＬＥＤを配置する基板と、前記基板を内蔵したＬＥＤ街路灯と、前記ＬＥＤ街路灯に内蔵する、魚眼レンズ使用の防犯カメラと、魚眼補正ＩＣからなることを特徴とする。
【００１１】
魚眼補正ＩＣは、道路監視に最適化した画角部分として、極端に横方向に長いエリアを補正し、各種映像コーデックに変換する。
【００１２】
本発明は、魚眼レンズから取得した撮影映像を見やすい映像に変換する、魚眼補正ＩＣを内蔵し、変換した見やすい映像を保存、蓄積、配信する。
【００１３】
各種映像コーデックとしては、特に圧縮率が高いＨ．２６４やＨ．２６５が良い。
【発明の効果】
【００１４】
本発明によると、次の効果が奏される。
本発明の防犯カメラに魚眼レンズを使用することにより、街路灯程度の高さに設置した防犯カメラでも十分な視界を確保することができ、１つの街路灯内のカメラ台数を減らすことでコストダウンを図ることができる。また、可動型の防犯カメラである必要がないため、構造がシンプルとなり、さらにコストと不具合の発生率が下がる。
【００１５】
本発明のＬＥＤ照明に、広角配光ＬＥＤモジュールを使用することで、街路灯としての十分な性能を保ち、魚眼レンズを使用した１８０度視野角防犯カメラの撮影範囲に対応する。それにより、防犯カメラ内蔵ＬＥＤ街路灯の設置数を最小限に抑え、コストダウンを図ることができる。
【００１６】
魚眼補正ＩＣで、魚眼レンズを通して撮影した映像を見やすく変換した上で保存しておくことにより、ゆがみの少ない、見やすい映像の配信を快適な速度で行うことができる。
【図面の簡単な説明】
【００１７】
【図１】本発明にかかる、防犯カメラ内蔵ＬＥＤ街路灯の全体図である。
【図２】本発明にかかる、防犯カメラ内蔵ＬＥＤ街路灯本体の正面図である。
【図３】本発明にかかる、防犯カメラ内蔵ＬＥＤ街路灯本体の取付側の図である。
【図４】本発明にかかる、防犯カメラ内蔵ＬＥＤ街路灯本体の側面図である。
【図５】本発明にかかる、防犯カメラ内蔵ＬＥＤ街路灯本体の背面図である。
【図６】本発明にかかる、防犯カメラ処理ユニット内の動作ブロック図である。
【図７】本発明にかかる、防犯カメラの横方向（道路沿い方向）への必要画角計算の図である。
【図８】本発明にかかる、防犯カメラの縦方向（道路横断方向）への必要画角計算の図である。
【発明を実施するための形態】
【００１８】
図１に示すように、ＬＥＤ街路灯本体１に内蔵された一般公開型映像記録配信防犯カメラ２で、撮影された映像は、無線通信アンテナ３を通じて無線通信端末４で受信、表示される。
【００１９】
図２に示すように、ＬＥＤ街路灯本体には、光源ＬＥＤモジュールＡと、一般公開型映像記録配信防犯カメラのレンズＢが配置される。夜間には、光源ＬＥＤモジュールＡが発光し、照らされた範囲を一般公開型映像記録配信防犯カメラのレンズＢから撮影する。
【００２０】
図３に示すように、ＬＥＤ街路灯本体には自動点滅器Ｃが配置され、周囲の明るさに反応して光源が点灯する。
【００２１】
図４に示すように、光源ＬＥＤモジュールＡと一般公開型映像記録配信防犯カメラのレンズＢが配置されている側と反対側に、自動点滅器Ｃが配置される。
【００２２】
図５に示すように、自動点滅器ＣはＬＥＤ街路灯本体の背面中央部に配置される。
【００２３】
図６に示すように、処理ユニット５内の制御部６では、魚眼レンズ使用防犯カメラ７からの映像信号をデジタルデータ化し、魚眼補正ＩＣ１１に映像処理をさせ、処理された映像を記憶装置８に保存する。無線通信アンテナ９から受け取った無線通信端末からの映像表示要求は、通信モジュール１０を通じ、制御部６で受け付ける。制御部６は映像表示要求に対し、指定された映像データを記憶装置８から取り出し、通信モジュールを通じて無線通信アンテナ９から無線通信端末に配信する。
【００２４】
図７、図８に示すように、本発明を防犯灯として設置し、既設電柱の設置間隔３０ｍ、街路灯設置高５．５ｍ、道路幅車道８ｍ歩道１．５ｍ撮影対象高さ２ｍを想定した場合、十分な視覚をカバーするには、横方向167度、縦方向94度もの画角が必要になる。
【産業上の利用可能性】
【００２５】
本発明は、一般街路において、通常の街路灯と同様に設置できる防犯カメラ内蔵ＬＥＤ街路灯として利用される。従来は防犯カメラを設置することが不可能だった場所にも、低コストで導入することができる。
【符号の説明】
【００２６】
１・・・ＬＥＤ街路灯本体
２・・・１８０度視野角一般公開型映像記録配信防犯カメラ
３・・・無線通信アンテナ
４・・・無線通信端末
５・・・処理ユニット
６・・・制御部
７・・・魚眼レンズ使用防犯カメラ
８・・・記憶装置
９・・・無線通信アンテナ
１０・・・通信モジュール
１１・・・魚眼補正ＩＣ
Ａ・・・広角配光ＬＥＤモジュール
Ｂ・・・１８０度視野角一般公開型映像記録配信防犯カメラのレンズ
Ｃ・・・自動点滅器（照度検知スイッチ）
Ｄ・・・防犯灯付き街路灯
Ｅ・・・街路灯ポール
Ｆ・・・監視対象
Ｇ・・・必要監視範囲
Ｈ・・・直近ポールまでの距離
Ｉ・・・歩道
Ｊ・・・車道
【図１】
2015171040.tif 000003
【図２】
2015171040.tif 000004
【図３】
2015171040.tif 000005
【図４】
2015171040.tif 000006
【図５】
2015171040.tif 000007
【図６】
2015171040.tif 000008
【図７】
2015171040.tif 000009
【図８】
2015171040.tif 000010